【手続補正書】
【提出日】平成31年1月17日(2019.1.17)
【手続補正１】
【補正対象書類名】特許請求の範囲
【補正対象項目名】全文
【補正方法】変更
【補正の内容】
【特許請求の範囲】
【請求項１】
撮像手段で撮像された撮像画像のうち、縦横の比率が異なる特定の領域の合焦状態を示す情報を取得する取得手段と、
表示手段に、前記撮像画像と共に、前記特定の領域を示す第１の表示要素と、前記取得手段で取得した前記合焦状態を示す第２の表示要素とを表示するように制御する表示制御手段と、
表示制御装置の姿勢を検出する姿勢検出手段と、
前記姿勢検出手段で前記表示制御装置の姿勢が第１の姿勢から当該第１の姿勢と９０度異なる第２の姿勢に変化したことを検出した場合に、前記第１の表示要素を回転させることなく、前記第２の表示要素を回転して表示するように制御する制御手段と、を有することを特徴とする表示制御装置。
【請求項２】
前記取得手段は、前記合焦状態を示す情報として、合焦度合いに関する情報を取得し、
前記表示制御手段は、前記合焦度合いを示す第２の表示要素を表示するように制御することを特徴とする請求項１に記載の表示制御装置。
【請求項３】
前記取得手段は、前記合焦状態を示す情報として、合焦、前ピン、後ピンのいずれかであることを示す情報を取得し、
前記表示制御手段は、合焦、前ピン、後ピン前ピンのいずれかであることを示す第２の表示要素を表示するように制御することを特徴とする請求項１または２に記載の表示制御装置。
【請求項４】
前記制御手段は、前ピンの場合と後ピンの場合とで異なる形状の表示要素を表示するように制御することを特徴とする請求項３に記載の表示制御装置。
【請求項５】
前記合焦状態を示す情報はデフォーカス量であることを特徴とする請求項１から４のいずれか１項に記載の表示制御装置。
【請求項６】
前記第１の表示要素は、前記特定の領域に対応する位置に表示され、
前記第２の表示要素は、前記第１の表示要素の表示位置に対応する位置に表示されることを特徴とする請求項１から５のいずれか１項に記載の表示制御装置。
【請求項７】
静止画の記録準備動作と記録動作を行う静止画記録手段をさらに有し、
前記制御手段は、前記静止画記録手段による静止画の記録準備動作または記録動作が行われている場合は、前記第２の表示要素を回転して表示しないように制御し、前記静止画記録手段による静止画の記録準備動作および記録動作が行われていない場合は、前記第２の表示要素を回転して表示するように制御することを特徴とする請求項１から６のいずれか１項に記載の表示制御装置。
【請求項８】
動画の記録動作を行う動画記録手段をさらに有し、
前記制御手段は、前記動画記録手段による動画の記録動作が行われている場合は、前記第２の表示要素を回転して表示しないように制御し、前記動画記録手段による動画の記録動作が行われていない場合は、前記第２の表示要素を回転して表示するように制御することを特徴とする請求項１から６のいずれか１項に記載の表示制御装置。
【請求項９】
フォーカスの制御を行うフォーカス制御手段をさらに有し、
前記制御手段は、前記フォーカス制御手段によるフォーカスの制御が停止された場合には、前記第２の表示要素を回転して表示しないように制御し、前記フォーカスの制御の停止が解除された場合には、前記第２の表示要素を回転して表示するように制御することを特徴とする請求項１から６のいずれか１項に記載の表示制御装置。
【請求項１０】
前記撮像画像から被写体領域を検出する被写体検出手段と、
前記被写体検出手段により検出された被写体領域のうちのいずれかを前記特定の領域として決定する決定手段と、
ユーザによるマニュアルでのフォーカス操作を受け付ける操作手段と、をさらに有し、
前記表示制御手段は、前記被写体検出手段による被写体領域の検出を行っているときに前記操作手段によりマニュアルでのフォーカス操作が行われた場合は、前記第１の表示要素を前記特定の領域の位置に表示することを特徴とする請求項１から６のいずれか１項に記載の表示制御装置。
【請求項１１】
前記表示手段へのタッチ操作を検出するタッチ検出手段をさらに有し、
前記制御手段は、前記タッチ検出手段によりタッチ操作を検出するごとに前記第２の表示要素を回転して表示するか否かを判定することを特徴とする請求項１から１０のいずれか１項に記載の表示制御装置。
【請求項１２】
前記第２の表示要素を回転して表示するか否かを設定する設定手段をさらに有することを特徴とする請求項１から１１のいずれか１項に記載の表示制御装置。
【請求項１３】
前記第１の表示要素は前記撮像画像に重畳して前記特定の領域に表示される枠であることを特徴とする請求項１から１２のいずれか１項に記載の表示制御装置。
【請求項１４】
前記第１の表示要素は前記決定手段により決定された前記被写体領域に表示される枠であり、
前記表示制御手段は、前記被写体検出手段による被写体領域の検出を行っている場合は、前記枠の形状を変更することを特徴とする請求項１０に記載の表示制御装置。
【請求項１５】
前記第２の表示要素は、前記第１の表示要素が表示された前記特定の領域の合焦状態を示す複数の指標を含み、
前記複数の指標は、少なくとも、互いの表示位置の関係によって合焦度合いを示す第１の指標および第２の指標と、合焦位置を示す第３の指標を有し、前記第１の指標および前記第２の指標が一体化して前記第３の指標が示す位置となることによって、前記第１の表示要素が表示された被写体に合焦していることを表すことを特徴とする請求項１から１４のいずれか１項に記載の表示制御装置。
【請求項１６】
前記制御手段は、前記第１の指標と前記第２の指標との表示距離を前記合焦度合いに応じて変更し、合焦位置からのズレが大きい場合に比べて小さい場合の方が前記表示距離が小さくなるように制御することを特徴とする請求項１５に記載の表示制御装置。
【請求項１７】
前記第２の表示要素は、合焦させる方向へフォーカス操作を行うための操作方向を示す表示要素を含むことを特徴とする請求項１５または１６に記載の表示制御装置。
【請求項１８】
前記表示制御装置は、画像を撮像する撮像装置であることを特徴とする請求項１から１７のいずれか１項に記載の表示制御装置。
【請求項１９】
撮像手段で撮像された撮像画像のうち、縦横の比率が異なる特定の領域の合焦状態を示す情報を取得するステップと、
表示手段に、前記撮像画像と共に、前記特定の領域を示す第１の表示要素と、前記取得した前記合焦状態を示す第２の表示要素とを表示するように制御するステップと、
姿勢検出手段で表示制御装置の姿勢が第１の姿勢から当該第１の姿勢と９０度異なる第２の姿勢に変化したことを検出した場合に、前記第１の表示要素を回転させることなく、前記第２の表示要素を回転して表示するように制御するステップと、を有することを特徴とする表示制御装置の制御方法。
【請求項２０】
コンピュータを、請求項１から１８のいずれか１項に記載された表示制御装置の各手段として機能させるためのプログラム。
【請求項２１】
コンピュータを、請求項１から１８のいずれか１項に記載された表示制御装置の各手段として機能させるためのプログラムを格納したコンピュータが読み取り可能な記憶媒体。
【手続補正２】
【補正対象書類名】明細書
【補正対象項目名】０００７
【補正方法】変更
【補正の内容】
【０００７】
上記課題を解決し、目的を達成するために、本発明の表示制御装置は、撮像手段で撮像された撮像画像のうち、縦横の比率が異なる特定の領域の合焦状態を示す情報を取得する取得手段と、表示手段に、前記撮像画像と共に、前記特定の領域を示す第１の表示要素と、前記取得手段で取得した前記合焦状態を示す第２の表示要素とを表示するように制御する表示制御手段と、表示制御装置の姿勢を検出する姿勢検出手段と、前記姿勢検出手段で前記表示制御装置の姿勢が第１の姿勢から当該第１の姿勢と９０度異なる第２の姿勢に変化したことを検出した場合に、前記第１の表示要素を回転させることなく、前記第２の表示要素を回転して表示するように制御する制御手段と、を有する。